(57)【特許請求の範囲】
【請求項１】
複数の画情報を記憶する記憶手段と、
記憶された前記複数の画情報から選択画情報の選択を受付ける選択受付手段と、
選択を受付けた選択画情報と撮像日が同日であるとともに当該選択画情報から抽出される被写体情報を含む人物画情報群を前記複数の画情報から特定し、当該被写体情報に対応する送信先を当該人物画情報群の宛先に設定する設定手段と
を備えることを特徴とする画像処理装置。
【請求項２】
前記設定手段にて特定される前記人物画情報群は、位置情報が予め定めた範囲内であることを特徴とする請求項１記載の画像処理装置。
【請求項３】
被写体が所属するグループの情報が登録される情報登録手段を更に備え、
前記設定手段は、前記選択画情報の被写体が所属するグループの情報に対応する送信先を前記人物画情報群の宛先に設定することを特徴とする請求項１または請求項２に記載の画像処理装置。
【請求項４】
前記設定手段にて特定される前記人物画情報群の削除や他の画情報の追加、または前記設定手段にて設定した宛先の送信先の削除や他の送信先の追加の変更を受付けるための受付手段を備えることを特徴とする請求項１乃至３の何れかに記載の画像処理装置。
【請求項５】
複数の画情報を記憶する記憶手段と、
記憶された前記複数の画情報から選択画情報の選択を受付ける選択受付手段と、
選択を受付けた選択画情報と撮像日が同日である画情報群を前記複数の画情報から特定し、特定された当該画情報群から被写体情報を抽出し、当該被写体情報に対応する送信先を当該画情報群の宛先に設定する設定手段と
を備えることを特徴とする画像処理装置。
【請求項６】
前記設定手段にて特定される前記画情報群は、位置情報が予め定めた範囲内であることを特徴とする請求項５記載の画像処理装置。
【請求項７】
複数の画情報を記憶する記憶手段と、
記憶された前記複数の画情報から選択画情報の選択を受付ける選択受付手段と、
選択を受付けた選択画情報と撮像日が同日を含む予め定めた撮像期間に撮像された画情報であって当該選択画情報から抽出される被写体情報に基づいて特定された連続期間画情報群を前記複数の画情報から特定し、当該被写体情報に対応する送信先または当該連続期間画情報群から抽出される被写体情報に対応する送信先を当該連続期間画情報群の宛先に設定する設定手段と
を備えることを特徴とする画像処理装置。
【請求項８】
前記設定手段は、前記選択画情報の被写体情報を含む画情報がない日を特定し、前記撮像期間から特定した日を除いた期間に撮像された画情報を連続期間画情報群として特定することを特徴とする請求項７に記載の画像処理装置。
【請求項９】
前記設定手段は、外部から前記撮像期間に関する情報を取得して当該撮像期間を定めることを特徴とする請求項７に記載の画像処理装置。
【請求項１０】
コンピュータに、
複数の画情報を記憶する機能と、
記憶された前記複数の画情報から選択画情報の選択を受付ける機能と、
選択を受付けた選択画情報と撮像日が同日である画情報群を前記複数の画情報から特定する機能と、
選択を受付けた選択画情報から抽出される被写体情報を含む人物画情報群を前記画情報群から特定する機能と、
選択を受付けた選択画情報から抽出される被写体情報に対応する送信先を前記人物画情報群の宛先に設定する機能と、
を実現させることを特徴とするプログラム。
【請求項１１】
コンピュータに、
複数の画情報を記憶する機能と、
記憶された前記複数の画情報から選択画情報の選択を受付ける機能と、
選択を受付けた選択画情報と撮像日が同日である画情報群を前記複数の画情報から特定する機能と、
前記画情報群から抽出される被写体情報に対応する送信先を当該画情報群の宛先に設定する機能と
を実現させることを特徴とするプログラム。
【発明の詳細な説明】
【技術分野】
【０００１】
本発明は、画像処理装置及びプログラムに関する。
【背景技術】
【０００２】
公報記載の従来技術として、特許文献１には、例えば、被写体の写真を撮像する撮像部と、写真に対して行う指定処理の内容を示す指定処理情報と、被写体のうちから特定するべき対象被写体を写真の画像データにおいて特定するための被写体認識情報と、対象被写体の写真における状態に関する条件である条件情報と、をそれぞれ対応させて記憶する記憶部と、写真を撮像したときに、当該写真に対象被写体が写っているか否かを被写体識別情報に基づいて判定して、対象被写体が当該写真に写っている場合に、当該写真における当該対象被写体が当該被写体に対応する条件情報に適合しているか否かを判定して、当該対象被写体が条件情報に適合する場合に、指定処理を実行する制御部とを備える装置が開示されている。
【０００３】
また、特許文献２には、例えば、複数の電子メールアドレスと当該電子メールアドレスにそれぞれ対応づけられた複数の被写体画像を格納したアドレス帳メモリを有し、顔画像検索部は、集合写真画像に写っている複数の被写体の各々が含まれる被写体画像部分とアドレス帳メモリに格納されている複数の被写体画像とを比較し、一致する被写体画像が存在するか否かを判定することが記載されている。そして、一致判定された被写体画像が存在する場合には、当該一致判定された被写体画像に対応づけられた電子メールアドレスを読み出し、当該読み出された電子メールアドレスを宛先とした送信電子メールを作成することが記載されている。
【先行技術文献】
【特許文献】
【０００４】
【特許文献１】特開２０１０−１４７７１６号公報
【特許文献２】特開２００５−２６７１４６号公報
【発明の概要】
【発明が解決しようとする課題】
【０００５】
本発明は、複数の画情報から送信する画情報を選択し、送信する画情報の宛先を設定する使用者の作業を効率的かつ容易に行うことを目的とする。
【課題を解決するための手段】
【０００６】
請求項１に記載の発明は、複数の画情報を記憶する記憶手段と、記憶された前記複数の画情報から選択画情報の選択を受付ける選択受付手段と、選択を受付けた選択画情報と撮像日が同日であるとともに当該選択画情報から抽出される被写体情報を含む人物画情報群を前記複数の画情報から特定し、当該被写体情報に対応する送信先を当該人物画情報群の宛先に設定する設定手段とを備えることを特徴とする画像処理装置である。
請求項２に記載の発明は、前記設定手段にて特定される前記人物画情報群は、位置情報が予め定めた範囲内であることを特徴とする請求項１記載の画像処理装置である。
請求項３に記載の発明は、被写体が所属するグループの情報が登録される情報登録手段を更に備え、前記設定手段は、前記選択画情報の被写体が所属するグループの情報に対応する送信先を前記人物画情報群の宛先に設定することを特徴とする請求項１または請求項２に記載の画像処理装置である。
請求項４に記載の発明は、前記設定手段にて特定される前記人物画情報群の削除や他の画情報の追加、または前記設定手段にて設定した宛先の送信先の削除や他の送信先の追加の変更を受付けるための受付手段を備えることを特徴とする請求項１乃至３の何れかに記載の画像処理装置である。
請求項５に記載の発明は、複数の画情報を記憶する記憶手段と、記憶された前記複数の画情報から選択画情報の選択を受付ける選択受付手段と、選択を受付けた選択画情報と撮像日が同日である画情報群を前記複数の画情報から特定し、特定された当該画情報群から被写体情報を抽出し、当該被写体情報に対応する送信先を当該画情報群の宛先に設定する設定手段とを備えることを特徴とする画像処理装置である。
請求項６に記載の発明は、前記設定手段にて特定される前記画情報群は、位置情報が予め定めた範囲内であることを特徴とする請求項５記載の画像処理装置である。
請求項７に記載の発明は、複数の画情報を記憶する記憶手段と、記憶された前記複数の画情報から選択画情報の選択を受付ける選択受付手段と、選択を受付けた選択画情報と撮像日が同日を含む予め定めた撮像期間に撮像された画情報であって当該選択画情報から抽出される被写体情報に基づいて特定された連続期間画情報群を前記複数の画情報から特定し、当該被写体情報に対応する送信先または当該連続期間画情報群から抽出される被写体情報に対応する送信先を当該連続期間画情報群の宛先に設定する設定手段とを備えることを特徴とする画像処理装置である。
請求項８に記載の発明は、前記設定手段は、前記選択画情報の被写体情報を含む画情報がない日を特定し、前記撮像期間から特定した日を除いた期間に撮像された画情報を連続期間画情報群として特定することを特徴とする請求項７に記載の画像処理装置である。
請求項９に記載の発明は、前記設定手段は、外部から前記撮像期間に関する情報を取得して当該撮像期間を定めることを特徴とする請求項７に記載の画像処理装置である。
請求項１０に記載の発明は、コンピュータに、複数の画情報を記憶する機能と、記憶された前記複数の画情報から選択画情報の選択を受付ける機能と、選択を受付けた選択画情報と撮像日が同日である画情報群を前記複数の画情報から特定する機能と、選択を受付けた選択画情報から抽出される被写体情報を含む人物画情報群を前記画情報群から特定する機能と、選択を受付けた選択画情報から抽出される被写体情報に対応する送信先を前記人物画情報群の宛先に設定する機能と、を実現させることを特徴とするプログラムである。
請求項１１に記載の発明は、コンピュータに、複数の画情報を記憶する機能と、記憶された前記複数の画情報から選択画情報の選択を受付ける機能と、選択を受付けた選択画情報と撮像日が同日である画情報群を前記複数の画情報から特定する機能と、前記画情報群から抽出される被写体情報に対応する送信先を当該画情報群の宛先に設定する機能とを実現させることを特徴とするプログラムである。
【発明の効果】
【０００７】
請求項１の発明によれば、本発明を採用しない場合と比較して、複数の画情報のうち、選択画情報と撮影日が同日であり選択画情報の被写体と関連性が低い画情報を除いた人物画情報群を特定し、人物画情報群の宛先を選択画情報の被写体に対応する送信先に効率的かつ容易に設定できる。
請求項２の発明によれば、予め定めた範囲内で撮像された人物画情報群の宛先を、選択画情報の被写体に対応する送信先に効率的かつ容易に設定できる。
請求項３の発明によれば、本発明を採用しない場合と比較して、複数の画情報のうち選択画情報と撮影日が同日である送信するための画情報の宛先を、画情報の被写体が所属するグループ全員の送信先に設定できる。
請求項４の発明によれば、本発明を採用しない場合と比較して、選択された送信するための画情報または設定された送信先の変更を使用者が容易に行ことができる。
請求項５の発明によれば、複数の画情報のうち、選択画情報と撮像日が同日である画情報群を特定し、画情報群の宛先を画情報群の被写体に対応する送信先に効率的かつ容易に設定できる。
請求項６の発明によれば、予め定めた範囲内で撮像された画情報群の宛先を、画情報群の被写体に対応する送信先に効率的かつ容易に設定できる。
請求項７の発明によれば、本発明を採用しない場合と比較して、複数の画情報のうち、選択画情報と撮影日が同日を含む予め定めた撮像期間に撮像され、選択画情報の被写体と関連性が低い画情報を除いた連続期間画情報群を特定し、連続期間画情報群の宛先を連続期間画情報群の被写体に対応する送信先に効率的かつ容易に設定できる。
請求項８の発明によれば、選択画情報の被写体が写らない日を除く撮像期間を設定することが可能となる。
請求項９の発明によれば、本発明を採用しない場合と比較して、外部情報に基づいて撮像期間をより正確な期間に設定できる。
請求項１０の発明によれば、本発明を採用しない場合と比較して、複数の画情報のうち、選択画情報と撮影日が同日であり選択画情報の被写体と関連性が低い画情報を除いた人物画情報群を特定し、人物画情報群の宛先を選択画情報の被写体に対応する送信先に効率的かつ容易に設定できるプログラムを提供することができる。
請求項１１の発明によれば、本発明を採用しない場合と比較して、複数の画情報のうち、選択画情報と撮影日が同日である画情報群を特定し、画情報群の宛先を画情報群の被写体に対応する送信先に効率的かつ容易に設定できるプログラムを提供することができる。
【図面の簡単な説明】
【０００８】
【図１】画像処理装置のハードウェア構成の一例を示した図である。
【図２】画像処理装置の機能構成例を示したブロック図である。
【図３】付随情報の一例を示した表である。
【図４】宛先情報テーブルの一例を示した表である。
【図５】画像処理装置における写真群特定部の機能構成例を示したブロック図である。
【図６】画像処理装置における連続期間写真群特定部の機能構成例を示したブロック図である。
【図７】本実施形態における処理部の処理手順を示すフローチャートである。
【図８】実施例１における写真群特定部及びメール作成送信部の処理手順を示すフローチャートである。
【図９】画像データ格納部に格納される全ての画像データの例を示した図である。
【図１０】画像データ格納部に格納される全ての画像データの例を示した図である。
【図１１】実施例２における写真群特定部及びメール作成送信部の処理手順を示すフローチャートである。
【図１２】実施例３における写真群特定部及びメール作成送信部の処理手順を示すフローチャートである。
【図１３】実施例４における写真群特定部及びメール作成送信部の処理手順を示すフローチャートである。
【発明を実施するための形態】
【０００９】
以下、添付図面を参照して、本発明の実施形態について詳細に説明する。
一般的に、ユーザは、旅行や出張等のイベント中に撮像した写真の画像データを複数のイベントの参加者間で共有する場合、メールソフト等を起動して、記憶装置に格納されている画像データから選択してメールに添付する。また、ユーザは、各参加者のメールアドレスを宛先に指定して送信するという操作が必要となる。
しかし、このような方法では、添付する画像データやイベントの参加者が多い場合、各画像データをメールに添付し、各メールアドレスを宛先に指定するという操作を画像データまたは参加者の数だけ何度も繰り返す必要がある。
【００１０】
そこで、本実施形態の画像処理装置１は、ユーザによって選択された１つの画像データに関連する送信用の画像データを複数の画像データの中から特定するとともに、これらの画像データが撮像されたイベントの参加者と推定される人物を特定する。そして、画像処理装置１は、選択された１つの画像データ及び特定した送信用の画像データを添付し、特定した人物の宛先をメールの宛先に指定して送信する。
【００１１】
図１は、本実施形態が適用される画像処理装置１（システム）のハードウェア構成の一例を示した図である。
図１に示すように、画像処理装置１は、処理部２０と、ネットワーク３０と、メディアリーダ４０と、選択手段の一例としてのＵＩ部５０と、記憶装置６０とを備える。
【００１２】
処理部２０は、図１に示すように、例えば、パーソナルコンピュータであり、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）とこれらを結合するバスを含んでいる。ネットワーク３０は、ネットワーク上の外部装置と通信するための手段である。メディアリーダ４０は、フラッシュメモリ等のデジタルカメラで用いられる記録媒体から、画像データを読み出す機能を有するものが用いられる。ＵＩ部５０は、ユーザが情報を入力したり、ユーザに対し提示すべき情報を処理部２０が出力したりするための部分であり、例えば、タッチパネルディスプレイが用いられる。
記憶装置６０は、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられ、画像データの格納場所として機能するほか、処理部２０を制御するプログラムや、その制御に必要となるデータの格納場所としても機能する。
【００１３】
画像処理装置１は、記憶装置６０に記憶されている複数の画像データの一覧をＵＩ部５０にて表示し、その一覧から１つの画像データをユーザに選択させる。以下では、ユーザによって選択された画像データを「選択写真画像」、また、選択写真画像の画像ＩＤを「選択写真情報」と呼ぶ。
また、画像処理装置１は、選択写真画像の撮影日、撮影場所や被写体等の情報に基づいて、記憶装置６０に記憶されている複数の画像データの中から、選択写真画像と関連する送信用の画像データを特定する。以下では、特定した送信用の画像データ（選択写真画像を含む）を「送信写真画像群」と呼ぶ。また、本実施形態では、各画像データを一意に識別するための情報として画像ＩＤを用いることとし、以下では、送信写真画像群の画像ＩＤの集合を「送信画像情報」と呼ぶ。さらに、画像処理装置１は、選択写真画像や送信写真画像群に基づいて参加者と考えられる人物を特定する。そして、画像処理装置１は、送信写真画像群をメールに添付し、特定した人物のメールアドレスを宛先に指定してメールを送信する。
【００１４】
さらに、後述する実施例１の処理部２０では、選択写真画像の撮影日と撮影日が同日であり、かつ、選択写真画像の被写体と同一人物が写っていると推定される画像データを特定して送信写真画像群を生成する。また、処理部２０は、選択写真画像に写る被写体の人物を参加者として特定する。そして、画像処理装置１は、選択写真画像及び送信写真画像群をメールに添付し、特定した人物のメールアドレスを取得してメールの宛先に指定して送信する。
【００１５】
＜画像処理装置の機能構成例＞
図２は、画像処理装置１の機能構成例を示したブロック図である。図３は、付随情報の一例を示した図である。図４は、宛先情報テーブルの一例を示した図である。図５は、画像処理装置１における写真群特定部２８０の機能構成例を示したブロック図である。図６は、画像処理装置１における連続期間写真群特定部２８４の機能構成例を示したブロック図である。
【００１６】
図２に示すように、処理部２０は、外部から画像データを取得する画像データ取得部２１０と、取得した画像データを格納する記憶手段の一例としての画像データ格納部２２０と、画像データ格納部２２０に格納されている画像データの写真画像データに付随する付随情報を取得する付随情報取得部２３０と、画像データ格納部２２０の画像データから人物特定画像を抽出する被写体抽出手段の一例としての人物特定画像抽出部２４０とを備える。また、処理部２０は、ユーザの宛先情報が登録される情報登録手段の一例としての宛先情報登録部２５０と、宛先情報登録部２５０に登録される人物の識別情報と画像データの人物特定画像とを照合して人物を特定する人物照合特定部２６０とを備える。さらに、処理部２０は、ユーザによりＵＩ部５０から入力される選択写真情報を取得する選択写真情報取得部２７０と、選択写真画像に基づいて送信写真画像群を特定する特定手段の一例としての写真群特定部２８０と、送信写真画像群を添付し特定の人物のメールアドレスに宛先が指定された作成メールを送信する宛先設定手段の一例としてのメール作成送信部２９０とを備える。
【００１７】
画像データ取得部２１０は、ネットワーク３０またはメディアリーダ４０を介して（図１参照）、撮像手段等の外部装置から画像データを取得する。
画像データ格納部２２０は、画像データ取得部２１０にて取得した画像データを格納する。ここで、画像データは、撮像手段にて撮像されることで生成される写真画像データと写真画像データに付随する付随情報とを備えて構成される。また、例えば、付随情報は、図３に示すように、例えば、画像ＩＤ、ファイル名、撮影日、撮影場所、ファイルサイズ等の情報である。さらに、撮影場所は、画像データの生成時にＧＰＳ等によって測定される緯度・経度や、緯度・経度から特定される地域等で表すことが挙げられる。なお、図３の例では、一般名称で撮影場所を表している。
【００１８】
付随情報取得部２３０は、画像データ格納部２２０から上記の付随情報を取得する。また、付随情報取得部２３０は、図２に示すように、画像ＩＤと他の付随情報とを関連付けて、画像データ格納部２２０に格納されている全ての画像データの付随情報を取得する。もしくは、付随情報取得部２３０は、写真群特定部２８０から画像ＩＤを受取り、画像データ格納部２２０から画像ＩＤと関連付けて画像ＩＤに対応する他の付随情報を取得する。そして、付随情報取得部２３０は、画像ＩＤと関連付けた他の付随情報を写真群特定部２８０に渡す。
ここで、付随情報の取得方法の例示としては、画像データと共に記録されたカメラの機種や撮影時の条件情報を画像に埋め込むＥｘｉｆファイル等から抽出する方法や、ＵＩ部５０を介してユーザが入力したファイル名等の情報を取得することが挙げられる。
【００１９】
また、付随情報取得部２３０は、図２に示すように、画像データの撮影日を取得する撮影日取得部２３１と、画像データの撮影場所を取得する撮影場所取得部２３２とを備える。
撮影日取得部２３１は、画像データ格納部２２０から撮影日を画像ＩＤとともに取得し写真群特定部２８０に渡す。本実施形態では、撮影日取得部２３１は、画像データ格納部２２０に格納されている全ての画像データの付随情報から、撮影日を画像ＩＤとともに取得して写真群特定部２８０に渡す。
撮影場所取得部２３２は、画像データ格納部２２０から画像ＩＤに対応する撮影場所を取得し写真群特定部２８０に渡す。まず、撮影場所取得部２３２は、写真群特定部２８０から画像ＩＤを受取る。そして、撮影場所取得部２３２は、画像データ格納部２２０から画像ＩＤに対応する撮影場所を取得して写真群特定部２８０に渡す。
【００２０】
人物特定画像抽出部２４０は、図２に示すように、画像データ格納部２２０の画像データから人物を特定するために用いられる画像領域の画像データである人物特定画像を抽出して、人物照合特定部２６０および写真群特定部２８０に渡す。例えば、本実施形態において、人物特定画像とは、被写体である人物の顔に該当する領域部分の画像データであり、その領域を抽出することで人物が特定される。
具体的には、人物特定画像抽出部２４０は、写真群特定部２８０から画像ＩＤを受取り、画像データ格納部２２０に格納されている画像ＩＤに対応する写真画像データから人物特定画像を抽出する。そして、人物特定画像抽出部２４０は、抽出した人物特定画像を画像ＩＤとともに人物照合特定部２６０および写真群特定部２８０に渡す。なお、人物特定画像抽出部２４０は、人物特定画像を抽出する写真画像データに複数の人物が存在すると判断した場合には、その複数の人物をそれぞれ特定するため複数の人物特定画像を抽出する。
【００２１】
宛先情報登録部２５０には、ユーザの宛先情報と、顔写真等のユーザを特定するために用いられる画像データである識別情報とが関連付けられた宛先情報テーブルが登録される。そして、宛先情報登録部２５０は、人物照合特定部２６０の要求に応じて、宛先情報テーブルの情報である宛先や識別情報等を人物照合特定部２６０に渡す。
具体的には、宛先情報テーブルには、図４に示すように、ユーザＩＤ、名前、識別情報、メールアドレス、電話番号、所属グループ等の情報が含まれる。なお、識別情報は、人物の特定精度を上げるため複数種類の画像データを用いてもよい。
【００２２】
人物照合特定部２６０は、図２に示すように、画像データの人物特定画像と宛先情報登録部２５０の識別情報とを照合して写真画像データに写る人物を特定する。人物照合特定部２６０は、特定した人物の情報をメール作成送信部２９０および写真群特定部２８０に送る。具体的には、人物照合特定部２６０は、人物特定画像抽出部２４０から画像ＩＤとともに人物特定画像を受取る。また、人物照合特定部２６０は、受取った人物特定画像と宛先情報登録部２５０に登録されている識別情報とを照合して人物を特定する。さらに、人物照合特定部２６０は、宛先情報登録部２５０から特定した人物の名前とともに他の宛先情報テーブルの情報を取得する。そして、人物照合特定部２６０は、メール作成送信部２９０および写真群特定部２８０に特定した人物の識別情報や宛先等を名前とともに送る。
なお、人物照合特定部２６０は、該当する人物が宛先情報登録部２５０に登録されておらず画像データの人物を特定できない場合、メール作成送信部２９０や写真群特定部２８０にエラーを送る。また、特定した人物の宛先情報テーブルの情報は、名前に限らず、人物を一意に識別するものであればユーザＩＤでもよい。
【００２３】
選択写真情報取得部２７０は、ユーザによって選択写真画像がＵＩ部５０にて選択されると選択写真情報を取得する。また、選択写真情報取得部２７０は、取得した選択写真情報を写真群特定部２８０に送る。
写真群特定部２８０は、図５に示すように、選択写真画像と撮影日が同日である写真の画像データの集合（以下、撮影日写真群）を特定する撮影日写真群特定部２８１と、選択写真画像と撮影場所が同じまたは近郊である写真の画像データの集合（以下、撮影場所写真群）を特定する撮影場所写真群特定部２８２とを備える。また、写真群特定部２８０は、選択写真画像と同一人物が写っていると推定される写真の画像データの集合（以下、人物写真群）を特定する人物写真群特定部２８３と、選択写真画像の撮影日と同日を含む連続した期間に撮影された写真の画像データの集合（以下、連続期間写真群）を特定する連続期間写真群特定部２８４とを備える。そして、写真群特定部２８０は、受取った選択写真情報から選択写真画像の撮影日や被写体等の情報に基づいて、画像データ格納部２２０に格納されている複数の画像データから送信写真画像群を特定し、メール作成送信部２９０に送信写真画像群の画像ＩＤと選択写真情報とを渡す。
【００２４】
撮影日写真群特定部２８１は、選択写真画像と撮影日が同日である写真の画像データの集合を撮影日写真群として特定する。具体的に、撮影日写真群特定部２８１は、撮影日取得部２３１から画像データ格納部２２０に格納される選択写真画像を含む全ての画像データの撮影日を画像ＩＤとともに受取る。また、撮影日写真群特定部２８１は、選択写真情報に対応する撮影日と他の画像データの画像ＩＤに対応する撮影日とを比較して、撮影日が同日である画像データを撮影日写真群として特定する。
【００２５】
撮影場所写真群特定部２８２は、選択写真画像と撮影場所が同じまたは近郊である写真の画像データの集合を撮影場所写真群として特定する。具体的には、撮影場所写真群特定部２８２は、選択写真情報及び他の画像データの画像ＩＤを撮影場所取得部２３２に送り、撮影場所取得部２３２から画像ＩＤに対応する撮影場所を受取る。また、撮影場所写真群特定部２８２は、選択写真情報に対応する撮影場所と他の画像データの画像ＩＤに対応する撮影場所とを比較して、撮影場所が同じまたは近郊である画像データを撮影場所写真群として特定する。
ここで、撮影場所が同じであるとは、撮影場所の緯度・経度等が予め定めた範囲内である場合や、撮影された地域が同じである場合で、例えば、撮影場所が京都であることを指す。また、撮影場所が同じまたは近郊であるとは、撮影された地域が隣接し、同じ日に十分移動できると推定される地域や同地区等のことであり、撮影場所が京都、大阪、及び兵庫等の関西地区内の地域であるか等により判断される。
【００２６】
人物写真群特定部２８３は、選択写真画像の被写体と同一人物が写っていると推定される写真の画像データの集合を人物写真群として特定する。具体的には、人物写真群特定部２８３は、選択写真情報及び他の画像データの画像ＩＤを人物特定画像抽出部２４０に送り、人物特定画像抽出部２４０から画像ＩＤに対応する人物特定画像を受取る。また、人物写真群特定部２８３は、選択写真情報に対応する人物特定画像と他の画像データの画像ＩＤに対応する人物特定画像とを比較して、被写体が同一人物であると判断された画像データを人物写真群として特定する。
ここで、人物特定画像が同一人物であるか否かの具体的な判断は、例えば、一般的な画像処理技術を用いて、選択写真画像の人物特定画像と他の画像データの人物特定画像との近似度に基づいて行う方法が挙げられる。
【００２７】
連続期間写真群特定部２８４は、図６に示すように、選択写真画像の撮影日と同日を含む連続する期間に撮影された写真の画像データの集合（以下、仮連続期間写真群）を特定するとともに、同日を含む連続する期間を仮連続期間として特定する仮連続期間特定部２８４ａと、仮連続期間を連続期間とするか否かを判定する仮連続期間判定部２８４ｂと、仮連続期間判定部２８４ｂの判定結果に応じて連続期間を新たに特定する連続期間特定部２８４ｃとを備える。そして、連続期間写真群特定部２８４は、選択写真画像の撮影日と撮影日が同日を含む連続した期間のうち、選択写真画像に写る特定の人物が１枚でも写らない日を除外した期間に撮影された写真の画像データの集合を連続期間写真群として特定する。
【００２８】
仮連続期間特定部２８４ａは、選択写真画像の撮影日と同日を含む連続する期間に撮影された写真の画像データの集合を仮連続期間写真群として特定するとともに、同日を含む連続する期間を仮連続期間として特定する。具体的に、仮連続期間特定部２８４ａは、撮影日取得部２３１から画像データ格納部２２０に格納される選択写真画像を含む全ての画像データの撮影日を画像ＩＤとともに受取る。そして、仮連続期間特定部２８４ａは、選択写真情報に対応する撮影日と同日または連続する期間に撮影された写真の画像データの集合を仮連続期間写真群として特定する。また、仮連続期間写真群の各画像データの撮影日から同日を含む連続する期間を仮連続期間として特定する。
【００２９】
仮連続期間判定部２８４ｂは、仮連続期間を連続期間とするか否かを選択写真画像に基づいて判定する。具体的には、仮連続期間判定部２８４ｂは、選択写真画像の被写体に宛先情報登録部２５０に登録されている特定の人物が全く含まれていない場合、仮連続期間を連続期間として特定する判定を行う。また、仮連続期間判定部２８４ｂは、選択写真画像の被写体に特定の人物が全く含まれている場合、連続期間特定部２８４ｃにて新たに連続期間の特定が必要と判定する。
【００３０】
具体的な判定方法として、仮連続期間判定部２８４ｂは、選択写真情報を人物特定画像抽出部２４０に送り、抽出された人物特定画像から人物照合特定部２６０にて人物を特定させる。仮連続期間判定部２８４ｂは、選択写真画像から抽出した人物特定画像の人物が宛先情報登録部２５０に登録されておらず、人物照合特定部２６０からエラーを受取った場合、仮連続期間を連続期間とする判定を行う。そして、仮連続期間判定部２８４ｂは、仮連続期間を連続期間とし、仮連続期間写真群を連続期間写真群として特定する。一方、仮連続期間判定部２８４ｂは、抽出した人物特定画像の人物が宛先情報登録部２５０に登録されており、人物照合特定部２６０にて人物が特定されると、連続期間を新たに特定する必要があると判定する。この際、仮連続期間判定部２８４ｂは、人物照合特定部２６０から特定した人物の識別情報を取得する。
【００３１】
連続期間特定部２８４ｃは、仮連続期間判定部２８４ｂにて連続期間を新たに特定する必要があると判定された場合に、仮連続期間写真群と選択写真画像とに基づいて連続期間及び連続期間写真群を新たに特定する。具体的に、連続期間特定部２８４ｃは、仮連続期間写真群の各画像データの画像ＩＤを人物特定画像抽出部２４０に送り、各画像ＩＤに対応する人物特定画像を取得する。また、連続期間特定部２８４ｃは、選択写真画像から特定した人物の識別情報と、仮連続期間写真群の各画像データの画像ＩＤに対応する人物特定画像とを１日分毎に比較する。そして、連続期間特定部２８４ｃは、仮連続期間のうち特定の人物が１枚も撮影されていない日を特定する。さらに、連続期間特定部２８４ｃは、特定した日を除く仮連続期間を連続期間として新たに特定する。また、連続期間特定部２８４ｃは、特定した連続期間に撮影された写真の画像データを連続期間写真群として特定する。
【００３２】
メール作成送信部２９０は、図２に示すように、写真群特定部２８０から取得した送信写真画像群の画像ＩＤ及び選択写真情報を用いて送信写真画像群を添付し特定の人物の宛先を指定して作成メールを作成するメール作成部２９１と、人物照合特定部２６０から特定の人物の宛先を取得する宛先取得部２９２と、作成メールの宛先及び送信写真画像群の変更をユーザから受付けるための受付手段の一例としての送信情報変更部２９３と、ネットワークを介して作成メールを宛先に送信する送信部２９４とを備える。
そして、メール作成送信部２９０は、送信写真画像群を作成メールに添付し、特定の人物の宛先を指定して作成メールを送信する。また、本実施形態では、メール作成送信部２９０は、後述するように、作成メールを送信する前に、作成メールの内容の変更をユーザから受付けて、画像データ及び宛先の追加・削除を反映させる。
【００３３】
メール作成部２９１は、送信写真画像群を作成メールに添付し、メールアドレスを取得して宛先に指定し作成メールを作成する。本実施形態において、メール作成部２９１は、写真群特定部２８０から送信写真画像群の画像ＩＤを取得して、画像データ格納部２２０から送信写真画像群の画像ＩＤに対応する画像データを取得して作成メールに添付する。また、メール作成部２９１は、選択写真情報を宛先取得部２９２に送り、宛先取得部２９２から名前と関連付けられたメールアドレス等の宛先を取得して作成メールの宛先に指定する。そして、メール作成部２９１は、作成メールを送信情報変更部２９３に渡す。なお、送信情報変更部２９３を介さず、送信部２９４に直接渡してもよい。
【００３４】
宛先取得部２９２では、人物照合特定部２６０から、画像データの被写体のうち宛先情報登録部２５０に登録されている特定の人物の宛先を取得する。宛先取得部２９２は、メール作成部２９１から画像ＩＤを取得して人物特定画像抽出部２４０に渡す。ここで、宛先取得部２９２は、人物特定画像抽出部２４０にて画像ＩＤに対応する写真画像データから人物特定画像を抽出させて人物照合特定部２６０に送らせる。また、宛先取得部２９２は、人物照合特定部２６０にて人物特定画像から人物を特定し、宛先情報登録部２５０から特定した人物のメールアドレスを取得して人物照合特定部２６０から受取る。そして、宛先取得部２９２は、受取ったメールアドレスをメール作成部２９１に渡す。
【００３５】
送信情報変更部２９３は、作成メールの送信写真画像群及び宛先の情報をＵＩ部５０にて表示し、ユーザからの送信写真画像群及び宛先の削除や、直接追加する変更を受付ける。具体的に、送信情報変更部２９３は、メール作成部２９１から作成メールを受取る。また、送信情報変更部２９３は、送信写真画像群の各画像ＩＤやファイル名等のユーザが画像データを一意に認識できる情報と、宛先に指定されているメールアドレスや名前等との一覧をＵＩ部５０に表示させる。そして、送信情報変更部２９３は、ＵＩ部５０にてユーザからの削除・追加の変更を受付けると作成メールに変更内容を反映させて送信部２９４に渡す。
送信部２９４は、メール作成部２９１または送信情報変更部２９３から作成メールを取得し、ネットワークを介して作成メールを宛先に送る。
【００３６】
＜処理部の動作例＞
次に、処理部２０の動作例について説明する。
図７は、本実施形態における処理部２０の処理手順を示すフローチャートである。
図８は、実施例１における写真群特定部２８０及びメール作成送信部２９０の処理手順を示すフローチャートである。
図９及び図１０は、画像データ格納部２２０に格納される全ての画像データの例を示した図である。
【００３７】
処理部２０では、まず、画像データ取得部２１０が、図７に示すように、メディアリーダ４０に記録媒体の挿入があったこと検知して、記憶装置６０に格納する画像データを記憶媒体から取得する（ステップ７０１）。また、画像データ格納部２２０は、取得した画像データを格納する（ステップ７０２）。そして、選択写真情報取得部２７０は、ユーザによって、例えばカメラロール等の画像データ格納部２２０の画像データの一覧を表示する画面をタップするなどして選択写真画像が選択され、選択写真情報を取得する（ステップ７０３）。
【００３８】
つぎに、写真群特定部２８０は、選択写真情報取得部２７０から選択写真情報を受取ると、選択写真情報に対応する撮影日や被写体等に基づいて送信写真画像群を後述する処理手順により特定する（ステップ７０４）。
メール作成送信部２９０は、図７に示すように、写真群特定部２８０から送信写真画像群の画像ＩＤを及び選択写真情報を受取る。また、メール作成部２９１は、後述する手順により、選択写真情報または送信写真画像群の画像ＩＤを宛先取得部２９２に送り、特定の人物のメールアドレスを宛先取得部２９２から取得する（ステップ７０５）。さらに、メール作成部２９１は、送信写真画像群の画像ＩＤを基に、画像データ格納部２２０から送信写真画像群の各画像データを取得して作成メールに添付し、参加者のメールアドレスを宛先に指定する（ステップ７０６）。
【００３９】
送信情報変更部２９３は、メール作成部２９１から作成メールを受取る。また、送信情報変更部２９３では、作成メールの内容の変更を受付ける設定となっている場合（ステップ７０７でＹｅｓ）、ＵＩ部５０に送信写真画像群及び宛先の表示をしてユーザから削除や追加の変更を受付ける（ステップ７０８）。そして、送信情報変更部２９３は、ユーザからの変更を受付けると、作成メールに変更内容を反映させて送信部２９４に作成メールを渡す。また、送信情報変更部２９３は、作成メールの内容の変更を受付けない設定となっている場合（ステップ７０７でＮｏ）、ＵＩ部５０にて変更を受付けずに送信部２９４に作成メールを渡す。
そして、送信部２９４は、ネットワークを介して宛先に受取った作成メールを送る（ステップ７０９）。
【００４０】
（実施例１）
ここで、実施例１の写真群特定部２８０おける送信写真画像群の特定及びメール作成送信部２９０における特定の人物の宛先の指定についての処理手順を具体的に説明する。
実施例１の写真群特定部２８０は、図８に示すように、選択写真情報を取得すると（ステップ８０１）、撮影日写真群特定部２８１にて、撮影日取得部２３１から選択写真画像を含む画像データ格納部２２０の全ての画像データの撮影日を画像ＩＤとともに取得する（ステップ８０２）。また、撮影日写真群特定部２８１は、選択写真画像と撮影日が同日である画像データを撮影日写真画像群として特定する（ステップ８０３）。例えば、図９の例では、選択写真画像として写真１が選択されている場合、撮影日写真群特定部２８１は、撮影日が６月１０日である写真１から写真１２を撮影日写真群として特定する。
【００４１】
さらに、人物写真群特定部２８３は、図８に示すように、選択写真情報と撮影日写真画像群の各画像データの画像ＩＤを人物特定画像抽出部２４０に送り、選択写真画像と撮影日写真画像群の人物特定画像を抽出する（ステップ８０４）。また、人物写真群特定部２８３は、撮影日写真画像群のうち、選択写真画像の被写体と同一人物が写っていると推定される画像データを人物写真群として特定する。このとき、人物写真群特定部２８３は、選択写真画像に複数の被写体が写っている場合、画像データに選択写真画像の被写体と同一人物と推定される人物が１人でも写っていれば、その画像データを人物写真群に含める。そして、写真群特定部２８０は、人物写真群と選択写真画像とを送信写真画像群として特定する（ステップ８０５）。すなわち、例えば、図９及び図１０の例では、写真１（選択写真画像）には、ＡさんとＢさんとが写っている。そのため、写真群特定部２８０は、撮影日写真群である写真２から写真１２のうち写真２から写真５及び写真９を人物写真群とし、さらに、選択写真画像である写真１を加えたものを送信写真群として特定する。
【００４２】
また、メール作成送信部２９０は、図８に示すように、写真群特定部２８０から送信写真画像群を及び選択写真情報を受取る。そして、メール作成部２９１は、選択写真情報を宛先取得部２９２に送り、選択写真画像の人物特定画像を抽出させて被写体の人物を特定させる（ステップ８０６）。また、メール作成部２９１は、特定した人物をあるイベントの参加者としてメールアドレスを宛先取得部２９２から取得する（ステップ８０７）。例えば、図９及び図１０の例では、メール作成部２９１は、選択写真画像である写真１のＡさんとＢさんとが特定され、Ａさん及びＢさんのメールアドレスを取得する。そして、メール作成部２９１は、送信写真画像群の画像ＩＤを基に送信写真画像群を作成メールに添付して参加者のメールアドレスを宛先に指定し、送信部２９４にて作成メールを送信する（ステップ８０８）。
また、図示しないが、実施例１では、メール作成部２９１から送信情報変更部２９３に作成メールを渡して、送信写真画像群及び宛先の削除及び追加の変更を受付ける設定としてもよい。
【００４３】
このように、実施例１においては、ユーザが１つの写真を選択することで、選択写真画像と同日に撮影された画像データのうち、選択写真画像に写る特定の人物のうち少なくとも１人が写る写真を特定の人物に送信する。そのため、選択写真画像の特定の人物が参加して一緒に行動していたある特定の日のイベントにて撮像された写真の画像データがその特定の人物の間で容易に共有される。
また、実施例１では、送信情報変更部２９３にて、ユーザから宛先情報登録部２５０に未登録の宛先の追加や、予め送信する必要がない宛先の削除を受付けることで、作成メールにその変更内容が反映される。さらに、焦点が合っていない写真や手振れした写真等の送信する必要がない画像データの削除や、逆に、送信したい画像データの追加も作成メールに反映される。
【００４４】
（実施例２）
図１１は、実施例２における写真群特定部２８０及びメール作成送信部２９０の処理手順を示すフローチャートである。
実施例２の写真群特定部２８０では、選択写真画像の撮影日と撮影日が同日であり、かつ、撮影場所が同じまたは近郊である画像データを送信写真画像群として特定する。また、実施例２のメール作成送信部２９０では、選択写真画像に写る被写体の人物を参加者として特定する。そして、メール作成送信部２９０は、送信写真画像群を作成メールに添付し、参加者として特定した人物のメールアドレスを取得して作成メールの宛先に指定して送信する。
【００４５】
図１１に示すように、写真群特定部２８０は、選択写真情報を取得すると（ステップ１１０１）、撮影日写真群特定部２８１にて、撮影日取得部２３１から選択写真画像を含む画像データ格納部２２０の画像データの撮影日を画像ＩＤとともに取得する（ステップ１１０２）。また、撮影日写真群特定部２８１は、選択写真画像と撮影日が同日である画像データを撮影日写真画像群として特定する（ステップ１１０３）。
【００４６】
さらに、撮影場所写真群特定部２８２は、図１１に示すように、選択写真情報と撮影日写真画像群の各画像データの画像ＩＤを撮影場所取得部２３２に送り、撮影場所を取得する（ステップ１１０４）。また、撮影場所写真群特定部２８２は、撮影日写真画像群のうち、選択写真画像の撮影場所と同じまたは近郊で撮影された写真の画像データを撮影場所画像群として特定する。そして、写真群特定部は、撮影日写真群及び選択写真画像を送信写真画像群として特定する（ステップ１１０５）。図９及び図１０の例では、選択写真画像として写真１が選択された場合、撮影場所写真群特定部２８２は、撮影日写真群である写真２から写真１２のうち、撮影場所が同じ京都である写真２から写真８を撮影場所写真群として特定する。また、撮影場所写真群特定部２８２は、京都の近郊として大阪を含む場合には、撮影場所が大阪である写真９を含めた写真２から写真９を撮影場所写真群として特定する。そして、写真群特定部は、撮影場所写真群に、選択写真画像である写真１を加えた写真１から写真９を送信写真画像群と特定する。
また、メール作成送信部２９０では、実施例１と同様に選択写真画像の人物を特定してメールアドレスを取得し、送信写真画像群を添付して宛先を指定し作成メールを送信する（図１１のステップ１１０６からステップ１１０８参照）。なお、図示しないが、実施例２においても、メール作成部２９１から送信情報変更部２９３に作成メールを渡して、送信写真画像群及び宛先の削除及び追加の変更を受付ける設定としてもよい。
【００４７】
このように、実施例２では、選択写真画像と撮影日が同日、かつ、撮影場所と同じまたは近郊にて撮影された写真の画像データを、選択写真画像の特定の人物に送信する。そのため、選択写真画像に写る特定の人物がある同じイベント中に撮影した画像データが簡単に特定の人物の間で共有される。また、これにより、選択写真画像に写る人物が写っていない風景写真や、他の人物が写る写真の画像データも共有される。
【００４８】
（実施例３）
図１２は、実施例３における写真群特定部２８０及びメール作成送信部２９０における処理手順を示すフローチャートである。
実施例３の写真群特定部２８０では、実施例２と同様に送信写真画像群を特定する。また、実施例３のメール作成送信部２９０では、送信写真画像群の各画像データに写る被写体の人物を参加者として特定する。そして、メール作成送信部２９０は、送信写真画像群を作成メールに添付し、参加者として特定した人物のメールアドレスを取得して作成メールの宛先に指定して送信する。
【００４９】
実施例３では、図１２に示すように、実施例２のステップ１１０１からステップ１１０５と同様に、送信写真画像群を特定するため説明を省略する（ステップ１２０１からステップ１２０５）。
また、メール作成送信部２９０は、写真群特定部２８０から送信写真画像群を及び選択写真情報を受取る。メール作成部２９１は、送信写真画像群の画像ＩＤを宛先取得部２９２に送って送信写真画像群の人物特定画像を抽出させ、送信写真画像群の各画像データに写っている被写体の人物を特定させる（ステップ１２０６）。さらに、メール作成部２９１は、特定した各特定の人物を参加者としてメールアドレスを宛先取得部２９２から取得する（ステップ１２０７）。例えば、図９及び図１０の例では、メール作成部２９１は、送信写真画像である写真１から写真９には、Ａさん、Ｂさん、Ｃさん、Ｄさん、Ｅさん、及びＦさんが特定され、特定したＡさんからＦさんを参加者としてメールアドレスを取得する。そして、メール作成部２９１は、送信写真画像群を作成メールに添付して参加者のメールアドレスを宛先に指定し、送信情報変更部２９３にて作成メールの変更を受付けて送信部２９４から作成メールを送信する（ステップ１２０８からステップ１２１０）。
【００５０】
このように、実施例３においては、送信写真画像群から参加者と考えられる人物を特定する。この場合、選択写真画像から特定するよりも、ユーザが予測しない人物が含まれていたり、逆に、送信したい人物が宛先情報登録部２５０に登録されておらず特定されなかったりする可能性が高い。そのため、特に、実施例３では、メール作成部２９１から送信情報変更部２９３に作成メールを渡して、送信写真画像群及び宛先の削除及び追加の変更を受付ける設定とする。これにより、ユーザから、送信情報変更部２９３は、ＵＩ部５０から作成メールの送信写真画像群や宛先の削除及び追加の変更を受付ける。
【００５１】
このように、実施例３では、送信写真画像群の画像データに写る被写体のうち、宛先情報登録部２５０に登録されている特定の人物全てに対して送信写真画像群の画像データを送る。これにより、あるイベントの参加者と考えられ、宛先情報登録部２５０に登録されている特定の人物の間で、イベント中に撮像した写真の画像データが簡単に共有される。また、特定された人物のうち、送信写真画像群を送る必要がない人物の宛先の削除や追加を受付けるため、送信したい人物が多数いる場合でも簡単にユーザからの変更を受付ける。
【００５２】
（実施例４）
図１３は、実施例４における写真群特定部２８０及びメール作成送信部２９０における処理手順を示すフローチャートである。
実施例４の写真群特定部２８０では、選択写真画像の撮影日と同日を含む連続する期間であり、選択写真画像に写る特定の人物が全く写らない日を除いた連続期間に撮影された写真の画像データを送信写真画像群として特定する。また、実施例４のメール作成送信部２９０では、実施例１から実施例３と同様に、選択写真画像または送信写真画像群に写る被写体の人物を参加者として特定する。そして、メール作成送信部２９０は、送信写真画像群を作成メールに添付し、参加者のメールアドレスを宛先に指定して作成メールを送信する。
【００５３】
まず、図１３に示すように、連続期間写真群特定部２８４における仮連続期間特定部２８４ａは、選択写真情報を取得すると（ステップ１３０１）、仮連続期間特定部２８４ａにて、撮影日取得部２３１から選択写真画像を含む画像データ格納部２２０の全ての画像データの撮影日を画像ＩＤとともに取得する（ステップ１３０２）。また、仮連続期間特定部２８４ａは、選択写真画像の撮影日と同日または連続する期間内に撮影された画像データを仮連続期間写真群として特定するとともに、仮連続期間を特定する（ステップ１３０３）。
【００５４】
例えば、図９及び図１０の例では、選択写真画像として写真１が選択された場合、仮連続期間特定部２８４ａは、撮影日が選択写真画像と同日の６月１０日である写真１から写真１２を仮連続期間写真群として特定する。また、例えば、仮連続期間特定部２８４ａは、６月７から９日、１１から１３日と連続する期間に撮影された写真１３から写真２３も仮連続期間写真群に含める。したがって、仮連続期間特定部２８４ａは、写真２から写真２３を仮連続期間写真群として特定し、６月７日から１３日を仮連続期間として特定する。
【００５５】
仮連続期間判定部２８４ｂは、選択写真情報を人物特定画像抽出部２４０に送り、選択写真画像の人物特定画像を抽出する（ステップ１３０４）。また、仮連続期間判定部２８４ｂは、抽出した人物特定画像を人物照合特定部２６０にて照合して人物を特定する（ステップ１３０５）。そして、仮連続期間判定部２８４ｂは、抽出した人物特定画像の人物が宛先情報登録部２５０に登録されておらず、人物照合特定部２６０からエラーを受取った場合（ステップ１３０５でＮｏ）、仮連続期間を連続期間とする判定を行う（ステップ１３０６）。そして、仮連続期間判定部２８４ｂは、仮連続期間写真群を連続期間写真群として、選択写真画像と連続期間写真群とを送信写真画像群として特定する（ステップ１３０７）。
また、仮連続期間判定部２８４ｂは、抽出した人物特定画像の人物が人物照合特定部２６０にて特定された場合（ステップ１３０５でＹｅｓ）、人物照合特定部２６０から特定した人物の識別情報を受取る（ステップ１３０８）。この場合、連続期間特定部２８４ｃは、仮連続期間写真群の画像ＩＤを人物特定画像抽出部２４０に送り、仮連続期間写真群の人物特定画像を取得する（ステップ１３０９）。さらに、連続期間特定部２８４ｃは、特定した人物の識別情報と仮連続期間写真群の人物特定画像とを１日分毎に比較して、仮連続期間写真群のうち特定の人物が全く撮影されていない日を特定する（ステップ１３１０）。そして、連続期間特定部２８４ｃは、特定した日を除く仮連続期間を連続期間とし、連続期間に撮影された画像データを連続期間写真群として特定して、連続期間写真群と選択写真画像とを送信写真画像群として特定する（ステップ１３１１）。また、実施例１から実施例３と同様に、メール作成送信部２９０にて、特定の人物の宛先を取得して、送信写真画像を作成メールに添付し宛先を指定して作成メールを送信する（ステップ１３１２）。
【００５６】
すなわち、例えば、図９及び図１０に示す例では、仮連続期間判定部２８４ｂは、選択写真画像に写るＡさん及びＢさんが全く写らない日である６月８日（写真１４）、６月１３日（写真２２及び写真２３）を特定する。そして、連続期間特定部２８４ｃは、仮連続期間である６月７日から１３日のうち、６月８日及び６月１３日を除いた６月７日と６月９日から１２日を連続期間として特定する。さらに、連続期間特定部２８４ｃは、写真１から写真１３、写真１５から写真２１を連続期間写真群として特定する。
【００５７】
このように、実施例４においては、旅行や長期出張等、予め定められた期間の間に行われたイベントの写真の画像データが一括して特定の人物の間で共有される。
なお、実施例４において、例えば、図９及び図１０の例では、連続期間写真群として特定された写真の中には、ニューヨークで撮影された写真１１のように、選択写真画像が撮影された京都でのイベントとは異なるイベントの写真が含まれる。そのため、実施例３と同様に、実施例４では、特に送信情報変更部２９３にてユーザから送信写真画像群及び宛先の変更を受付ける設定としてもよい。
【００５８】
以上のように、実施例１から実施例４では、写真群特定部２８０にて選択写真画像の撮影日、撮影場所、人物、及び連続期間に基づいて送信写真画像群を特定する。また、選択写真画像または送信写真画像群に基づいて特定された人物を参加者として特定し、特定した人物のメールアドレスを宛先として送信写真画像群を添付した作成メールを送信する。
これに加えて、例えば、宛先情報に含まれる所属グループに属する特定の人物を宛先として画像データを送信する構成も挙げられる。この場合には、宛先取得部２９２にて、例えば、送信写真画像群または選択写真画像に写るある特定の人物の所属グループを参照して特定される人物の宛先を取得する。これにより、特定した送信写真画像群の画像データがある特定の人物の友人や家族等と共有される。
【００５９】
また、実施例４では、連続期間写真群特定部２８４にて連続期間を選択写真画像及び仮連続期間写真群を用いて特定したが、通信手段に接続された外部装置から取得した旅行の日程表等のデータに基づいて連続期間を特定しても良い。この場合、選択写真画像に写る特定の人物が全く写らない日に旅行や出張等のイベントの撮影がされていた場合でも、その日に撮影された写真の画像データも送信写真画像群に含まれる。
【００６０】
さらに、写真群特定部２８０は、ある特定の人物の識別情報を用いて、画像データ格納部２２０の画像データから特定の人物が写る画像データを全て特定する構成としてもよい。これにより、例えば、ある特定の人物が写る画像データのアルバムを作成し、そのアルバムが他の特定の人物と簡単に共有される。
【００６１】
そして、実施例１から実施例４におけるパターンの他、写真群特定部２８０において撮影日写真群特定部２８１、撮影場所写真群特定部２８２、人物写真群特定部２８３、及び連続期間写真群特定部２８４を用いた各種組み合わせによる送信写真画像群を特定してもよい。また、このような送信写真画像群を特定方法の一覧をＵＩ部５０に表示して、ユーザからの指定を受付けて選択写真情報とともに指定された情報を取得する構成としても良い。この際、上述した送信写真画像群の特定方法の他、送信情報変更部２９３にて作成メールの変更を受付けるかどうかについての設定の指示を受付けてもよい。
そして、これにより、実施例２のように、人物写真群特定部２８３を用いない設定として、風景（登録済みの人物を一切含まない写真）を対象とする設定の指示を受付ける。また、ある特定の人物の識別情報や所属グループ等を宛先情報登録部２５０から削除する指示をＵＩ部５０にて受付けて、ある特定の人物を宛先から除外する設定としてもよい。
【００６２】
さらに、人物写真群特定部２８３にて、ある特定の人物のみが写る画像データを特定させ、ある特定の人物のみが写る画像データを送信写真画像群から除外する設定の指示を受付けてもよい。また、逆に、ある特定の人物のみが写る画像データを送信写真画像群として、その特定の人物に送る設定としてもよい。この場合、例えば図９の写真１から写真８の例では、Ａさんに写真１から写真３を送り、Ｂさんに写真１及び写真２と写真４及び写真５とを送り、Ｃさんに写真２及び写真７を送り、Ｄさんに写真５及び写真７を送り、Ｅさんに写真８のみを送る。さらに、特定の人物に対して、その特定の人物の写真に加えて特定の人物が写っていない風景写真を送る構成としてもよい。例えば、Ａさんには、写真１から写真３に加えて写真６を送る。
【００６３】
なお、実施例１から実施例４においては、画像データを一意に識別するための情報として画像ＩＤを用いたが、画像ＩＤの他、ファイル名や格納場所等の情報を用いてもよい。また、付随情報取得部２３０は、撮影日や撮影場所に限らず、画像データのファイルサイズやファイル名等の付随情報を取得し、これらの付随情報を用いて送信写真画像群を特定する構成としてもよい。さらに、ユーザからの選択写真情報の入力は、画像処理装置１のＵＩ部５０からのみではなく、撮像手段のタッチパネル等の入力手段から入力されてもよい。
【符号の説明】
【００６４】
１…画像処理装置、２０…処理部、５０…ＵＩ部、６０…記憶装置、２２０…画像データ格納部、２４０…人物特定画像抽出部、２７０…選択写真情報取得部、２８０…写真群特定部、２９０…メール作成送信部
【要約】
【課題】複数の画情報から送信する画情報を選択し、送信する画情報の宛先を設定する使用者の作業を効率的かつ容易に行う。
【解決手段】複数の画情報を記憶する画像データ格納部２２０と、複数の画情報から特定の画情報を選択画情報として選択するＵＩ部と、選択画情報と撮像日が同日である画情報を複数の画情報から特定する写真群特定部２８０と、画情報の被写体の情報を抽出する人物特定画像抽出部２４０と、被写体の情報に対応する送信先を、写真群特定部２８０により特定した画情報の宛先に設定するメール作成送信部２９０とを備える。
【選択図】図２【図１】
0005532180.tif 000002
【図２】
0005532180.tif 000003
【図３】
0005532180.tif 000004
【図４】
0005532180.tif 000005
【図５】
0005532180.tif 000006
【図６】
0005532180.tif 000007
【図７】
0005532180.tif 000008
【図８】
0005532180.tif 000009
【図９】
0005532180.tif 000010
【図１０】
0005532180.tif 000011
【図１１】
0005532180.tif 000012
【図１２】
0005532180.tif 000013
【図１３】
0005532180.tif 000014